(57)【要約】【課題】ネックレスのチェーン類を首の後ろで連結する際に使用したり、ネックレスのチェーン類に挿通して装身用下げ飾りを胸元に吊下げることができるという２つの機能を備えるとともに、余分なものが突出していないので装飾性が良好であり、開く操作も非常に簡単で扱いやすい装身具用連結金具を提供しようとするものである。【解決手段】長さ方向の中間位置において所定の間隔で回転軸に軸着された一対の装飾体および止着体を備え、該装飾体および止着体は前記回転軸に取り付けたバネでその一端を閉じる方向に付勢されていて、装飾体の前記一端の内側はチェーン類の係止体が設けてあり、また前記装飾体および止着体の他端において、前記装飾体の他端の内側には吊下げ用フックが形成されていることを特徴とする装身具用連結金具。【選択図】  図３
0003131016.tif 000002
【実用新案登録請求の範囲】
【請求項１】
長さ方向の中間位置において所定の間隔で回転軸に軸着された一対の装飾体および止着体を備え、該装飾体および止着体は前記回転軸に取り付けたバネでその一端を閉じる方向に付勢されていて、装飾体の前記一端の内側はチェーン類の係止体が設けてあり、
また前記装飾体および止着体の他端において、前記装飾体の他端の内側には吊下げ用フックが形成されていることを特徴とする装身具用連結金具。
【請求項２】
装飾体の内側に設けたチェーン類の係止体が、装飾体の長さ方向に沿うように板面が取り付けられてチェーン類を挿通した丸環からなり、該丸環をはめ込む凹部を止着体に形成して、止着体が閉じたときに丸環に挿通したチェーン類が押圧されて装身具用連結金具が位置決めされるようにしたことを特徴とする請求項１に記載の装身具用連結金具。
【請求項３】
装飾体の内側に設けたチェーン類の係止体が、装飾体の長さ方向に直交するよう取り付けた抜止めピンからなり、該抜止めピンの先端が止着体に係合ないし当接して、チェーン類が抜け止めされるようにしたことを特徴とする請求項１に記載の装身具用連結金具。
【請求項４】
吊下げ用フックが、止着体のフック側端部を押せば吊下げ用フックと止着体との間が開くようになっており、その際に装身具用下げ飾りを吊下げ用フックにはめ込んで吊下げるようにしたことを特徴とする請求項１ないし３のいずれかに記載の装身具用連結金具。
【考案の詳細な説明】
【技術分野】
【０００１】
この考案は装身具用連結金具に関するものであり、ネックレスのチェーン類を首の後ろで連結する際に使用したり、ネックレスのチェーン類に挿通して装身用下げ飾りを胸元に吊下げることのできる装身具用連結金具を提供しようとするものである。
【背景技術】
【０００２】
従来のこの種ネックレスを連結する装身具用連結金具としては、クラスプと称する連結金具が知られている。
このクラスプの例として、実用新案登録第３１２８１９７号公報（特許文献１参照）等の引き輪方式や、特開２００６−３４１０３０公報（特許文献２参照）等の板状バネを留め具とする方式、特開２００６−１０９９５４公報（特許文献３参照）等のマグネットを利用する方式、特開昭５２−５７４号公報（特許文献４参照）等の凸部材と凹部材がバネ力で嵌合する方式等が知られている。
これらの連結金具は、いずれもチェーン類の両端に対をなす金具を取り付けて金具を連結するものであり、チェーン類のループの長さを調節する機能は有していなかった。
【０００３】
そこで、特開２００５−５８７９９公報（特許文献５参照）や特開２００１−２９１１３公報（特許文献６参照）等の弾性材を内蔵した中空の装飾体にチェーン類を挿通して長さを調節することができるようにしたものが提案されている。
また、特開２００６−１９８３４８公報（特許文献７参照）のように、クリップ式にチェーン類を挟みこんでチェーン類の長さを調節するものも公知である。
【特許文献１】実用新案登録第３１２８１９７号公報
【特許文献２】特開２００６−３４１０３０公報
【特許文献３】特開２００６−１０９９５４公報
【特許文献４】特開昭５２−５７４号公報
【特許文献５】特開２００５−５８７９９公報
【特許文献６】特開２００１−２９１１３公報
【特許文献７】特開２００６−１９８３４８公報
【考案の開示】
【考案が解決しようとする課題】
【０００４】
しかしながら、弾性材を内蔵した中空の装飾体にチェーン類を挿通して長さを調節するものにおいても、クリップ式にチェーン類を挟みこんでチェーン類の長さを調節するものにおいても、単にチェーン類に係合して長さを調節する機構にのみ重点が置かれていて、ネックレスのチェーン類を首の後ろで連結する際に使用したり、ネックレスのチェーン類に挿通して装身用下げ飾りを胸元に吊下げることができるという２つの機能を備えたものではなかった。
【０００５】
また、ネックレスのチェーン類に挿通して装身用下げ飾りを胸元に吊下げるために使用する場合における、装身具用連結金具そのものの装飾性についてもあまりちゅういをはらわれていなかった。
【０００６】
そこでこの考案の装身具用連結金具は従来例の上記欠点を解消したもので、ネックレスのチェーン類を首の後ろで連結する際に使用したり、ネックレスのチェーン類に挿通して装身用下げ飾りを胸元に吊下げることができるという２つの機能を備えるとともに、余分なものが突出していないので装飾性が良好であり、開く操作も非常に簡単で扱いやすい装身具用連結金具を提供しようとするものである。
【課題を解決するための手段】
【０００７】
すなわちこの考案の装身具用連結金具は、長さ方向の中間位置において所定の間隔で回転軸に軸着された一対の装飾体および止着体を備え、該装飾体および止着体は前記回転軸に取り付けたバネでその一端を閉じる方向に付勢されていて、装飾体の前記一端の内側はチェーン類の係止体が設けてあり、
また前記装飾体および止着体の他端において、前記装飾体の他端の内側には吊下げ用フックが形成されていることを特徴とするものである。
【０００８】
この考案の装身具用連結金具は、前記装飾体の内側に設けたチェーン類の係止体が、装飾体の長さ方向に沿うように板面が取り付けられてチェーン類を挿通した丸環からなり、該丸環をはめ込む凹部を止着体に形成して、止着体が閉じたときに丸環に挿通したチェーン類が押圧されて装身具用連結金具が位置決めされるようにしたことをも特徴とするものである。
【０００９】
この考案の装身具用連結金具は、前記装飾体の内側に設けたチェーン類の係止体が、装飾体の長さ方向に直交するよう取り付けた抜止めピンからなり、該抜止めピンの先端が止着体に係合ないし当接して、チェーン類が抜け止めされるようにしたことをも特徴とするものである。
【００１０】
この考案の装身具用連結金具は、前記吊下げ用フックが、止着体のフック側端部を押せば吊下げ用フックと止着体との間が開くようになっており、その際に装身具用下げ飾りを吊下げ用フックにはめ込んで吊下げるようにしたことをも特徴とするものである。
【考案の効果】
【００１１】
この考案を採用することにより、ネックレスのチェーン類を首の後ろで連結する際に使用したり、ネックレスのチェーン類に挿通して装身用下げ飾りを胸元に吊下げることができるという２つの機能を備え、かつ一体感のある装身具用連結金具を提供することが可能となった。
【００１２】
またこの考案によれば、余分なものが突出していないので装飾性が非常に良好であり、開く操作も非常に簡単で、扱いやすい装身具用連結金具を提供することができるようになった。
【考案を実施するための最良の形態】
【００１３】
以下、この考案の装身具用連結金具の実施の形態を図面に基づいて具体的に説明する。
図１はこの考案の装身具用連結金具の１実施例を示す側面図、図２はその背面図、図３は端部を開いた状態の側面図、図４はその背面図である。
また図５はこの考案の装身具用連結金具の他の実施例を示す側面図、図６はその背面図、図７は端部を開いた状態の側面図、図８はその背面図である。
【００１４】
図１および図２における第１の実施例において、１１，２１は長さ方向の中間位置において所定の間隔で回転軸１２に軸着された一対の装飾体および止着体である。この装飾体１１および止着体２１は、前記回転軸１２に取り付けたバネ１３でその一端（挟着側端部）を閉じる方向に付勢されている。
【００１５】
前記装飾体１１は表面に装飾が施されていて、一方の端部の内側にはチェーン類３１の係止体が取付けられている。図ではこの係止体は丸環１４で構成されており、この丸環１４には予めチェーン類３１が挿通されている。
また、装飾体１１の他方の端部の内側には、吊下げ用フック１５がＵ字形に形成されている。
【００１６】
前記止着体２１は、装飾体１１の一方の端部と同じ側の端部に凹溝もしくは開孔２２が形成されており、前記回転軸１２に取り付けたバネ１３でその一端（挟着側端部）が閉じたときに、装飾体１１の前記丸環１４の先端が凹溝もしくは開孔２２にはまり込んで、丸環１４に挿通したチェーン類３１を押圧するよう構成されている。
すなわち、装飾体１１と止着体２１の挟着側端部が閉じたときに丸環１４に挿通したチェーン類３１が押圧されて装身具用連結金具がチェーン類３１の適所に位置決めされるようになっているのである。
【００１７】
前記止着体２１の他端は、装飾体１１の同じ側の端部に設けた、吊下げ用フック１５のＵ字形の先端部分の内側を首振りするよう構成されている。
すなわち、図３および図４に示すように、装飾体１１と止着体２１の当該端部を挟んでその間が閉じるよう力を加えると、前記止着体２１の他端と吊下げ用フック１５の先端部分の内側との間に隙間ができて開口２３が形成されるようになっているのである。
止着体２１の前記他端の外側には吊下げ用フック１５の先端部分をはめ込む係止溝２４が形成されていて、止着体２１が元の閉じた位置に復帰したときに、吊下げ用フック１５の先端部分が係止溝２４にはめ込まれるようになっている。
【００１８】
すなわち、装飾体１１と止着体２１の吊下げ用フック１５側の端部が開いたときには、開口２３からチェーン類３１の端部、もしくは装身具用下げ飾り３２の吊り金具３３等をはめ込むことにより、吊下げ用フック１５にチェーン類３１の端部を連結したり、装身具用下げ飾り３２を吊下げることができるのである。
【００１９】
したがって、装飾体１１の丸環１４にチェーン類３１を挿通し、吊下げ用フック１５にチェーン類３１の端部を連結すれば、チェーン類の長さ調節のために使用することができる。
また装飾体１１の丸環１４にチェーン類３１を挿通し、吊下げ用フック１５に装身具用下げ飾り３２を吊下げれば、Ｙネックチェーン（胸元でＹ字形をなすチェーンネックレス）用として使用することができる。
【００２０】
次に、図５および図８はこの考案の装身具用連結金具の第２の実施例を示すもので、この実施例では第１実施例の丸環１４に代えて、前記チェーン類の係止体として装飾体の長さ方向に直交するよう取り付けた抜止めピン４３を用いるものである。
このように装飾体４１の内側に設けたチェーン類４２の係止体を、装飾体４１の長さ方向に直交するよう取り付けた抜止めピン４３とした場合、この抜止めピン４３の先端が止着体５１の内面に係合ないし当接してチェーン類４２を抜け止めするだけであり、丸環１４の場合のように予めチェーン類４２を挿通しておく必要がないので、取扱いが非常に簡単に行えるという利点がある。
すなわち、図７および図８に示すように、装飾体４１と止着体５１の吊下げ用フック４４側の端部に力を加えて挟着側端部を開いたときに、抜止めピン４３と止着体５１の内側との間にできた隙間からチェーン類４２挿通すれば、チェーン類４２を簡単に抜止めピン４３の内側にはめ込むことができる。
したがって、装飾体４１の係止体にはめ込んだチェーン類４２の交換を極めて容易に行なうことができるのである。
【００２１】
この考案の装身具用連結金具の第１実施例の使用に際しては、予め装飾体１１の丸環１４にチェーン類３１を挿通し、吊下げ用フック１５にチェーン類３１の端部を連結すれば、チェーン類の長さ調節のために使用することができる。
また吊下げ用フック１５に装身具用下げ飾り３２を吊下げれば、Ｙネックチェーン（胸元でＹ字形をなすチェーンネックレス）用としても使用することができる。
【００２２】
この考案の装身具用連結金具の第２実施例の使用に際しては、装飾体４１と止着体５１の吊下げ用フック４４側の端部に力を加えて挟着側端部を開き、抜止めピン４３と止着体５１の内側との間にできた隙間からチェーン類４２を挿通すれば、チェーン類４２を簡単に抜止めピン４３の内側にはめ込んでチェーン類４２の長さ調節用として利用することができる。
また、上述の挟着側端部を開いた状態で装身具用下げ飾り５２にチェーン類４２をはめ込めば、Ｙネックチェーン（胸元でＹ字形をなすチェーンネックレス）用としても使用することができる。
【産業上の利用可能性】
【００２３】
この考案は装身具用連結金具にかかわり、上記実施例等に限定されるものではなく、装身具用連結金具の表現に属する用途であれば実施例に記載した以外の用途にも利用できることはいうまでもない。
【図面の簡単な説明】
【００２４】
【図１】この考案の装身具用連結金具の１実施例を示す側面図である。
【図２】その背面図である。
【図３】端部を開いた状態の側面図である。
【図４】その背面図である。
【図５】この考案の装身具用連結金具の他の実施例を示す側面図である。
【図６】その背面図である。
【図７】端部を開いた状態の側面図である。
【図８】その背面図である。
【符号の説明】
【００２５】
１１  装飾体
１２  回転軸
１３  バネ
１４  丸環
１５  吊下げ用フック
２１  止着体
２２  凹溝もしくは開孔
２３  開口
２４  係止溝
３１  チェーン類
３２  装身具用下げ飾り
３３  吊り金具
６１  抜止めピン
４１  装飾体
４２  チェーン類
４３  抜止めピン
４４  吊下げ用フック
５１  止着体
５２  装身具用下げ飾り
【図１】
0003131016.tif 000003
【図２】
0003131016.tif 000004
【図３】
0003131016.tif 000005
【図４】
0003131016.tif 000006
【図５】
0003131016.tif 000007
【図６】
0003131016.tif 000008
【図７】
0003131016.tif 000009
【図８】
0003131016.tif 000010